(57)【要約】【課題】簡単な構造で、冷却性能を向上することによって発熱を抑制できる履帯式走行装置の転輪、履帯式走行装置および作業機械を提供する。【解決手段】シャフト２１は、外周面２１ａａに冷却媒体を溜めるための凹部２１ｅａを有する。ローラ２２ａは、シャフト２１の外周面２１ａａに対して回転可能である。ラジアル滑り軸受２３ａａは、シャフト２１の外周面２１ａａに対してローラ２２ａを回転可能に支持する。フローティングシール２６ａは、ローラ２２ａに支持される回転側部材２６ａＲと、回転側部材２６ａＲと摺動する固定側部材２６ａＦとを有する。凹部２１ｅａは、シャフト２１の径方向において、フローティングシール２６ａにおける回転側部材２６ａＲと固定側部材２６ａＦとの摺動部とラジアル滑り軸受２３ａａとの双方に対向している。【選択図】図４
2020179782.tif 000002
【特許請求の範囲】
【請求項１】
外周面に冷却媒体を溜めるための凹部を有するシャフトと、
前記シャフトの前記外周面に対して回転可能なローラと、
前記シャフトの前記外周面に対して前記ローラを回転可能に支持する、前記シャフトの径方向の力を受ける第１滑り軸受と、
前記ローラに支持される回転側部材と、前記回転側部材と摺動する固定側部材とを有するフローティングシールと、を備え、
前記凹部は、前記シャフトの前記径方向において、前記フローティングシールにおける前記回転側部材と前記固定側部材との摺動部と前記第１滑り軸受との双方に対向している、履帯式走行装置の転輪。
【請求項２】
前記シャフトは、前記径方向の外側に張り出した中鍔を有し、
前記中鍔に対して前記ローラを回転可能に支持する、前記シャフトの軸方向の力を受ける第２滑り軸受をさらに備え、
前記凹部は、前記シャフトの前記径方向において前記第２滑り軸受と対向している、請求項１に記載の履帯式走行装置の転輪。
【請求項３】
前記凹部は、前記シャフトの軸線に対して線対称に配置されている、請求項１または請求項２に記載の履帯式走行装置の転輪。
【請求項４】
前記シャフトの前記外周面と前記ローラの内周面との間に配置されたブシュをさらに備え、
前記回転側部材は前記ブシュを介在して前記ローラに支持されている、請求項１から請求項３のいずれか１項に記載の履帯式走行装置の転輪。
【請求項５】
外周面に冷却媒体を溜めるための凹部を有するシャフトと、
前記シャフトの前記外周面に対して回転可能なローラと、
前記シャフトの前記外周面に対して前記ローラを回転可能に支持する、前記シャフトの径方向の力を受ける第１滑り軸受と、
前記ローラに支持される回転側部材と、前記回転側部材と摺動する固定側部材とを有するフローティングシールと、を備え、
前記凹部は、前記シャフトの前記径方向において、前記フローティングシールにおける前記回転側部材と前記固定側部材とのいずれかと前記第１滑り軸受との双方に対向している、履帯式走行装置の転輪。
【請求項６】
請求項１から請求項５のいずれか１項に記載の転輪と、
前記転輪により回転可能に支持された環状の履帯装置と、を備えた、履帯式走行装置。
【請求項７】
請求項６に記載の履帯式走行装置と、
前記履帯式走行装置に支持された作業機械本体と、を備えた、作業機械。

【発明の詳細な説明】
【技術分野】
【０００１】
本開示は、履帯式走行装置の転輪、履帯式走行装置および作業機械に関するものである。
【背景技術】
【０００２】
作業機械の下転輪に組み込まれるフローティングシールは、固定側に配置されたシールリングに対して、回転側に配置されたシールリングを摺動させることにより、潤滑油の給油経路終端を封止している。
【０００３】
近年のブルドーザなどの作業機械においては、より高速走行による作業効率の向上が要望されている。転輪の高速回転化に伴い、フローティングシールまわりでの発熱量が増えている。
【０００４】
これに対して、シャフトに対するスライドを規制する機構を軸受に備えることで、転輪における摩擦熱の発生を抑制する技術が、たとえば特開２００４−８２８１９号公報（特許文献１参照）に開示されている。
【先行技術文献】
【特許文献】
【０００５】
【特許文献１】特開２００４−８２８１９号公報
【発明の概要】
【発明が解決しようとする課題】
【０００６】
上記特許文献１に記載されたスライドを規制する機構では、構造が複雑となる。
本開示は、簡単な構造で、冷却性能を向上することによって発熱を抑制できる履帯式走行装置の転輪、履帯式走行装置および作業機械を提供することを目的とする。
【課題を解決するための手段】
【０００７】
本開示の履帯式走行装置の転輪は、シャフトと、ローラと、第１滑り軸受と、フローティングシールとを備えている。シャフトは、外周面に冷却媒体を溜めるための凹部を有する。ローラは、シャフトの外周面に対して回転可能である。第１滑り軸受は、シャフトの外周面に対してローラを回転可能に支持し、シャフトの径方向の力を受ける。フローティングシールは、ローラに支持される回転側部材と、回転側部材と摺動する固定側部材とを有する。凹部は、シャフトの径方向において、フローティングシールにおける回転側部材と固定側部材との摺動部と第１滑り軸受との双方に対向している。
【発明の効果】
【０００８】
本開示によれば、簡単な構造で、冷却性能を向上することによって発熱を抑制できる履帯式走行装置の転輪、履帯式走行装置および作業機械を実現することができる。
【図面の簡単な説明】
【０００９】
【図１】本開示の実施の形態１における作業機械の例としてブルドーザの構成を示す概略側面図である。
【図２】図１の作業機械に含まれる下転輪の構成を示す部分破断斜視図である。
【図３】図２に示す下転輪の構成を示す第１断面図である。
【図４】図２に示す下転輪の構成を示す第２断面図である。
【図５】図４のＶ−Ｖ線に沿うシャフトの断面図である。
【図６】図２に示す下転輪の組み立て方法を示す断面図である。
【図７】本開示の実施の形態２における作業機械に含まれる下転輪の構成を示す第１断面図である。
【図８】本開示の実施の形態２における作業機械に含まれる下転輪の構成を示す第２断面図である。
【図９】図７に示す下転輪の組み立て方法における第１工程を示す断面図である。
【図１０】図７に示す下転輪の組み立て方法における第２工程を示す断面図である。
【図１１】本開示の実施の形態３における作業機械に含まれる下転輪の構成を示す第１断面図である。
【図１２】本開示の実施の形態３における作業機械に含まれる下転輪の構成を示す第２断面図である。
【図１３】図１の作業機械に含まれる遊動輪の構成を示す部分破断斜視図である。
【発明を実施するための形態】
【００１０】
以下、本開示の実施の形態について、図面を参照して詳細に説明する。なお、明細書および図面において、同一の構成要素または対応する構成要素には、同一の符号を付し、重複する説明を繰り返さない。また、図面では、説明の便宜上、構成を省略または簡略化している場合もある。また、各実施の形態と各変形例との少なくとも一部は、互いに任意に組み合わされてもよい。
【００１１】
（実施の形態１）
＜作業機械の構成＞
まず、本開示の実施の形態１における作業機械の例としてブルドーザの構成について図１を用いて説明する。なお本開示はブルドーザに限定されず、油圧ショベルなどの履帯式走行装置を有する作業機械であれば適用可能である。
【００１２】
図１は本開示の実施の形態１における作業機械の例としてブルドーザの構成を示す概略側面図である。図１に示されるように、本実施の形態の作業機械１００としてのブルドーザは、履帯式走行装置１と、車体２と、作業機３とを主に有している。車体２と作業機３とにより作業機械本体が構成されている。
【００１３】
車体２は、キャブ（運転室）４と、エンジン室５とを有している。キャブ４は車体２の後上部に配置され、エンジン室５はキャブ４の前方に配置されている。
【００１４】
作業機３は、ブレード６と、フレーム７と、アングルシリンダ８と、昇降シリンダ９とを有している。ブレード６は、車体２の前方に配置されている。ブレード６は、左右両側でフレーム７により支持されている。フレーム７の一端はブレード６の背面に回転自在の支持部により取り付けられている。フレーム７の他端は車体２の側面に回転自在に支持されている。
【００１５】
ブレード６は、アングルシリンダ８および昇降シリンダ９によって駆動される。アングルシリンダ８の一端はブレード６の背面に回転自在に支持されている。アングルシリンダ８の他端は車体２の側面に回転自在に支持されている。
【００１６】
アングルシリンダ８の油圧による伸縮によって、ブレード６はフレーム７による支持部を中心に回動する。これによりブレード６の上端６ａが前後方向（図１の左右方向）に移動し、ブレード６が前後方向にアングリング操作される。
【００１７】
昇降シリンダ９の一端はフレーム７の上面に回転自在に支持されている。昇降シリンダ９の中間部は車体２の側面に回転自在に支持されている。昇降シリンダ９の油圧による伸縮によって、ブレード６はフレーム７の他端を中心にして上下方向に移動する。
【００１８】
履帯式走行装置１は、左右１対の履帯装置１Ａを有している。左右１対の履帯装置１Ａは、ブルドーザ１００の車幅方向に離れて配置されている。左右１対の履帯装置１Ａは、車体２を挟むように配置されている。
【００１９】
左右１対の履帯装置１Ａの各々は、履帯１０と、下転輪２０と、上転輪２０ａと、駆動輪（スプロケット）４１と、遊動輪（アイドラ）４２と、トラックフレーム４３とを主に有している。
【００２０】
駆動輪４１およびトラックフレーム４３の各々は、車体２の側部に取り付けられている。トラックフレーム４３には、遊動輪４２、複数の下転輪２０および複数の上転輪２０ａの各々が取り付けられている。
【００２１】
駆動輪４１はトラックフレーム４３の後方に回転駆動可能に配置されている。遊動輪４２はトラックフレーム４３のたとえば前端部に回転可能に配置されている。複数の下転輪２０はトラックフレーム４３の下側に回転可能に配置されている。複数の上転輪２０ａはトラックフレーム４３の上面側に回転可能に配置されている。
【００２２】
履帯１０は、環状（無端状）に構成されており、駆動輪４１および遊動輪４２に巻きかけられている。また履帯１０は駆動輪４１と遊動輪４２との間に配置された複数の下転輪２０および複数の上転輪２０ａにより回転可能に支持されている。
【００２３】
履帯１０は駆動輪４１に噛み合わされており、この駆動輪４１の回転駆動により回転可能に構成されている。この履帯１０の回転時において、遊動輪４２、複数の下転輪２０および複数の上転輪２０ａの各々は履帯１０に当接して従動回転可能である。
【００２４】
車体２と作業機３とから構成される作業機械本体は、履帯式走行装置１により走行可能に支持されている。
【００２５】
＜下転輪２０の構成＞
次に、本実施の形態の作業機械１００に用いられる下転輪２０の構成について図２〜図５を用いて説明する。
【００２６】
図２は、図１の作業機械に含まれる下転輪の構成を示す部分破断斜視図である。図３および図４のそれぞれは、図２に示す下転輪の構成を示す第１断面図および第２断面図である。図５は、図４のＶ−Ｖ線に沿うシャフトの断面図である。
【００２７】
なお図３における断面と図４における断面とは、シャフト２１の軸線Ｃを通る断面であって、互いに９０度異なる角度で切断した断面である。また図５における断面は軸線Ｃに対して直交する方向に切断した断面である。
【００２８】
図２に示されるように、本実施の形態における下転輪２０は、シャフト２１と、ローラ２２ａ、２２ｂと、滑り軸受部材２３ａ、２３ｂと、フローティングシール２６ａ、２６ｂと、支持体２７ａ、２７ｂとを有している。
【００２９】
シャフト２１に、２つのローラ２２ａ、２２ｂが外挿されている。シャフト２１とローラ２２ａとの間に滑り軸受部材２３ａが配置されている。シャフト２１の一方端側には支持体２７ａが固定されている。フローティングシール２６ａの回転側部材２６ａＲがローラ２２ａに支持されている。フローティングシール２６ａの固定側部材２６ａＦが支持体２７ａを介在してシャフト２１に支持されている。
【００３０】
シャフト２１とローラ２２ｂとの間に滑り軸受部材２３ｂが配置されている。シャフト２１の他方端側には支持体２７ｂが固定されている。フローティングシール２６ｂの回転側部材２６ｂＲがローラ２２ｂに支持されている。フローティングシール２６ｂの固定側部材２６ｂＦが支持体２７ｂを介在してシャフト２１に支持されている。
【００３１】
図３に示されるように、シャフト２１は、シャフト本体２１ａと、中鍔２１ｂとを有している。シャフト本体２１ａは軸線Ｃ（仮想線）を有しており、軸線Ｃはシャフト本体２１ａの軸中心を通っている。
【００３２】
中鍔２１ｂは、シャフト本体２１ａの外周面２１ａａに対してシャフト本体２１ａの径方向外側に張り出している。中鍔２１ｂは環形状を有し、周方向全周にてシャフト本体２１ａの外周面２１ａａから張り出している。中鍔２１ｂは、シャフト本体２１ａと一体に構成されている。中鍔２１ｂは、シャフト本体２１ａの軸方向（軸線Ｃの延びる方向）においてシャフト本体２１ａの中心部付近に配置されている。
【００３３】
中鍔２１ｂは、シャフト本体２１ａの軸方向において互いに対向する端面２１ｂａ、２１ｂｂを有している。中鍔２１ｂの２つの端面２１ｂａ、２１ｂｂの各々は、シャフト本体２１ａの外周面２１ａａに対してたとえば直交している。中鍔２１ｂの２つの端面２１ｂａ、２１ｂｂは、たとえば互いに平行である。
【００３４】
ローラ２２ａおよびローラ２２ｂの各々は、円筒形状を有している。ローラ２２ａおよびローラ２２ｂの各々は、一方端側から他方端側へ貫通した貫通孔を有している。ローラ２２ａおよびローラ２２ｂの各々の貫通孔に、シャフト２１が挿入されている。ローラ２２ａおよびローラ２２ｂの各々は、シャフト２１に外挿されている。
【００３５】
ローラ２２ａの一方端とローラ２２ｂの一方端とは、突き合わされることにより互いに当接している。ローラ２２ａの一方端とローラ２２ｂの一方端とは、溶接部２２ｃにより互いに固定されている。溶接部２２ｃは、周方向全周に設けられている。
【００３６】
ローラ２２ａとローラ２２ｂとが互いに突き合わされた部分は、中鍔２１ｂに対してシャフト２１の径方向外側に位置している。また溶接部２２ｃも、中鍔２１ｂに対してシャフト２１の径方向外側に位置している。
【００３７】
ローラ２２ａは、ローラ２２ａの一方端からローラ２２ａの他方端側へ窪んだ位置に端面２２ａｂを有している。ローラ２２ｂは、ローラ２２ｂの一方端からローラ２２ｂの他方端側へ窪んだ位置に端面２２ｂｂを有している。
【００３８】
滑り軸受部材２３ａは鍔付き円筒形状を有している。この滑り軸受部材２３ａは、ローラ２２ａの内周面２２ａａに圧入されている。これにより滑り軸受部材２３ａは、ローラ２２ａとともに回転可能である。滑り軸受部材２３ａは、ローラ２２ａの内周面２２ａａとシャフト２１の外周面２１ａａとの間に位置している。また滑り軸受部材２３ａは、中鍔２１ｂの端面２１ｂａとローラ２２ａの端面２２ａｂとの間にも位置している。
【００３９】
滑り軸受部材２３ａは、一方端から他方端へ貫通した貫通孔を有している。滑り軸受部材２３ａの貫通孔に、シャフト２１が挿入されている。滑り軸受部材２３ａは、シャフト２１に外挿されている。
【００４０】
滑り軸受部材２３ａは、ラジアル滑り軸受２３ａａ（第１滑り軸受）と、スラスト滑り軸受２３ａｂ（第２滑り軸受）とを有している。ラジアル滑り軸受２３ａａはシャフト２１の径方向の力を受ける。ラジアル滑り軸受２３ａａは円筒形状を有している。スラスト滑り軸受２３ａｂは、ラジアル滑り軸受２３ａａの一方端から径方向の外側に張り出した環形状を有している。スラスト滑り軸受２３ａｂはシャフト２１の軸方向の力を受ける。スラスト滑り軸受２３ａｂは、ラジアル滑り軸受２３ａａに対してたとえば直交している。スラスト滑り軸受２３ａｂは、ラジアル滑り軸受２３ａａに対して鍔部を構成している。ラジアル滑り軸受２３ａａとスラスト滑り軸受２３ａｂとは一体に構成されている。
【００４１】
ラジアル滑り軸受２３ａａは、ローラ２２ａの内周面２２ａａとシャフト２１の外周面２１ａａとの間に配置されている。ラジアル滑り軸受２３ａａは、シャフト２１の外周面２１ａａに対して、ローラ２２ａを回転可能に支持している。ラジアル滑り軸受２３ａａは、径方向の荷重を支えている。
【００４２】
スラスト滑り軸受２３ａｂは、中鍔２１ｂの端面２１ｂａとローラ２２ａの端面２２ａｂとの間に配置されている。スラスト滑り軸受２３ａｂは、中鍔２１ｂの端面２１ｂａに対して、ローラ２２ａを回転可能に支持している。スラスト滑り軸受２３ａｂは、軸方向の荷重を支えている。
【００４３】
滑り軸受部材２３ｂは鍔付き円筒形状を有している。この滑り軸受部材２３ｂは、ローラ２２ｂの内周面２２ｂａに圧入されている。これにより滑り軸受部材２３ｂは、ローラ２２ａとともに回転可能である。滑り軸受部材２３ｂは、ローラ２２ｂの内周面２２ｂａとシャフト２１の外周面２１ａａとの間に位置している。また滑り軸受部材２３ｂは、中鍔２１ｂの端面２１ｂｂとローラ２２ｂの端面２２ｂｂとの間にも位置している。
【００４４】
滑り軸受部材２３ｂは、一方端から他方端へ貫通した貫通孔を有している。滑り軸受部材２３ｂの貫通孔に、シャフト２１が挿入されている。滑り軸受部材２３ｂは、シャフト２１に外挿されている。
【００４５】
滑り軸受部材２３ｂは、ラジアル滑り軸受２３ｂａ（第１滑り軸受）と、スラスト滑り軸受２３ｂｂ（第２滑り軸受）とを有している。ラジアル滑り軸受２３ｂａはシャフト２１の径方向の力を受ける。ラジアル滑り軸受２３ｂａは円筒形状を有している。スラスト滑り軸受２３ｂｂは、ラジアル滑り軸受２３ｂａの一方端から径方向の外側に張り出した環形状を有している。スラスト滑り軸受２３ｂｂはシャフト２１の軸方向の力を受ける。スラスト滑り軸受２３ｂｂは、ラジアル滑り軸受２３ｂａに対してたとえば直交している。スラスト滑り軸受２３ｂｂは、ラジアル滑り軸受２３ｂａに対して鍔部を構成している。ラジアル滑り軸受２３ｂａとスラスト滑り軸受２３ｂｂとは一体に構成されている。
【００４６】
ラジアル滑り軸受２３ｂａは、ローラ２２ｂの内周面２２ｂａとシャフト２１の外周面２１ａａとの間に配置されている。ラジアル滑り軸受２３ｂａは、シャフト２１の外周面２１ａａに対して、ローラ２２ｂを回転可能に支持している。ラジアル滑り軸受２３ｂａは、径方向の荷重を支えている。
【００４７】
スラスト滑り軸受２３ｂｂは、中鍔２１ｂの端面２１ｂｂとローラ２２ｂの端面２２ｂｂとの間に配置されている。スラスト滑り軸受２３ｂｂは、中鍔２１ｂの端面２１ｂｂに対して、ローラ２２ｂを回転可能に支持している。スラスト滑り軸受２３ｂｂは、軸方向の荷重を支えている。
【００４８】
支持体２７ａ、２７ｂの各々は、シャフト本体２１ａの外周面２１ａａに固定されている。支持体２７ａ、２７ｂの間に２つのローラ２２ａ、２２ｂが挟まれている。
【００４９】
フローティングシール２６ａは、回転側部材２６ａＲと、固定側部材２６ａＦとを有している。回転側部材２６ａＲは、ローラ２２ａに支持されている。これにより回転側部材２６ａＲは、ローラ２２ａとともに回転する。回転側部材２６ａＲは、固定側部材２６ａＦに対して相対的に回転可能である。
【００５０】
回転側部材２６ａＲは、弾性リング２６ａａと、メタルシールリング２６ａｂとを有している。メタルシールリング２６ａｂは、弾性リング２６ａａを介在してローラ２２ａの内周面２２ａａに支持されている。
【００５１】
固定側部材２６ａＦは、弾性リング２６ａｃと、メタルシールリング２６ａｄとを有している。メタルシールリング２６ａｄは、弾性リング２６ａｃを介在して支持体２７ａに支持されている。
【００５２】
弾性リング２６ａａ、２６ａｃの各々は、たとえばＯリングであり、樹脂などから構成されている。メタルシールリング２６ａｂ、２６ａｄの各々は金属材料から構成されている。
【００５３】
弾性リング２６ａａおよび弾性リング２６ａｃの各々の弾性力によって、メタルシールリング２６ａｂとメタルシールリング２６ａｄとが互いに当接してシール状態に保持されている。回転側部材２６ａＲが固定側部材２６ａＦに対して相対的に回転したとき、メタルシールリング２６ａｂとメタルシールリング２６ａｄとがシール状態を保ったまま互い摺動する。これにより潤滑油の漏れを防止することができる。
【００５４】
フローティングシール２６ｂは、回転側部材２６ｂＲと、固定側部材２６ｂＦとを有している。回転側部材２６ｂＲは、ローラ２２ｂに支持されている。これにより回転側部材２６ｂＲは、ローラ２２ｂとともに回転する。回転側部材２６ｂＲは、固定側部材２６ｂＦに対して相対的に回転可能である。
【００５５】
回転側部材２６ｂＲは、弾性リング２６ｂａと、メタルシールリング２６ｂｂとを有している。メタルシールリング２６ｂｂは、弾性リング２６ｂａを介在してローラ２２ｂの内周面２２ｂａに支持されている。
【００５６】
固定側部材２６ｂＦは、弾性リング２６ｂｃと、メタルシールリング２６ｂｄとを有している。メタルシールリング２６ｂｄは、弾性リング２６ｂｃを介在して支持体２７ｂに支持されている。
【００５７】
弾性リング２６ｂａ、２６ｂｃの各々は、たとえばＯリングであり、樹脂などから構成されている。メタルシールリング２６ｂｂ、２６ｂｄの各々は金属材料から構成されている。
【００５８】
弾性リング２６ｂａおよび弾性リング２６ｂｃの各々の弾性力によって、メタルシールリング２６ｂｂとメタルシールリング２６ｂｄとが互いに当接してシール状態に保持されている。回転側部材２６ｂＲが固定側部材２６ｂＦに対して相対的に回転したとき、メタルシールリング２６ｂｂとメタルシールリング２６ｂｄとがシール状態を保ったまま互い摺動する。これにより潤滑油の漏れを防止することができる。
【００５９】
図４に示されるように、シャフト本体２１ａは、流路２１ｃと、分岐流路２１ｄａ、２１ｄｂと、凹部２１ｅａ、２１ｅｂとを有している。流路２１ｃ、分岐流路２１ｄａ、２１ｄｂおよび凹部２１ｅａ、２１ｅｂの各々の内部には、潤滑油が満たされている。
【００６０】
潤滑油は冷却媒体としても機能する。冷却媒体は、油以外であってもよく、たとえばグリスでもよい。冷却媒体は、フローティングシール２６ａ、２６ｂ、ラジアル滑り軸受２３ａａ、２３ｂａおよびスラスト滑り軸受２３ａｂ、２３ｂｂを冷却できるものであればよい。
【００６１】
凹部２１ｅａ、２１ｅｂの各々は、冷却媒体を溜めるための部分である。凹部２１ｅａ、２１ｅｂの各々は、シャフト２１の外周面、特にシャフト本体２１ａの外周面２１ａａに配置されている。凹部２１ｅａ、２１ｅｂの各々は、シャフト本体２１ａの外周面２１ａａから、径方向の内周側に窪んだ部分である。
【００６２】
凹部２１ｅａは、シャフト２１の径方向において、フローティングシール２６ａにおける回転側部材２６ａＲと固定側部材２６ａＦとの摺動部とラジアル滑り軸受２３ａａとの双方に対向している。凹部２１ｅａは、シャフト２１の径方向において、フローティングシール２６ａにおける回転側部材２６ａＲと固定側部材２６ａＦとのいずれかとラジアル滑り軸受２３ａａとの双方に対向している。凹部２１ｅａは、シャフト２１の径方向において、スラスト滑り軸受２３ａｂと対向している。
【００６３】
凹部２１ｅａは、シャフト２１の径方向において、フローティングシール２６ａの回転側部材２６ａＲおよび固定側部材２６ａＦの双方に対向している。また凹部２１ｅａは、シャフト２１の径方向において、ラジアル滑り軸受２３ａａとフローティングシール２６ａとに挟まれる領域とも対向している。
【００６４】
凹部２１ｅａは、軸方向に沿って、ラジアル滑り軸受２３ａａと径方向に対向する位置からフローティングシール２６ａの固定側部材２６ａＦと径方向に対向する位置まで延びている。凹部２１ｅａは、軸方向に沿って、スラスト滑り軸受２３ａｂと径方向に対向する位置からフローティングシール２６ａの固定側部材２６ａＦと径方向に対向する位置まで延びていることが好ましい。
【００６５】
凹部２１ｅｂは、シャフト２１の径方向において、フローティングシール２６ｂにおける回転側部材２６ｂＲと固定側部材２６ｂＦとの摺動部とラジアル滑り軸受２３ｂａとの双方に対向している。凹部２１ｅｂは、シャフト２１の径方向において、フローティングシール２６ｂにおける回転側部材２６ｂＲと固定側部材２６ｂＦとのいずれかとラジアル滑り軸受２３ｂａとの双方に対向している。凹部２１ｅｂは、シャフト２１の径方向において、スラスト滑り軸受２３ｂｂと対向している。
【００６６】
凹部２１ｅｂは、シャフト２１の径方向において、フローティングシール２６ｂの回転側部材２６ｂＲおよび固定側部材２６ｂＦの双方に対向している。また凹部２１ｅｂは、シャフト２１の径方向において、ラジアル滑り軸受２３ｂａとフローティングシール２６ｂとに挟まれる領域とも対向している。
【００６７】
凹部２１ｅｂは、軸方向に沿って、ラジアル滑り軸受２３ｂａと径方向に対向する位置からフローティングシール２６ｂの固定側部材２６ｂＦと径方向に対向する位置まで延びている。凹部２１ｅｂは、軸方向に沿って、スラスト滑り軸受２３ｂｂと径方向に対向する位置からフローティングシール２６ｂの固定側部材２６ｂＦと径方向に対向する位置まで延びていることが好ましい。
【００６８】
凹部２１ｅａは、軸線Ｃに対して線対称に配置されている。また凹部２１ｅｂは、軸線Ｃに対して線対称に配置されている。また凹部２１ｅａと凹部２１ｅｂとは、中鍔２１ｂの軸方向の中心を通る中心線Ｄに対して線対称に配置されている。
【００６９】
流路２１ｃは、シャフト２１の軸線に沿って、シャフト本体２１ａ内をたとえば直線状に延びている。流路２１ｃの一端は、中鍔２１ｂよりもシャフト２１の一方端側に位置しており、径方向において凹部２１ｅａと対向する領域に位置している。流路２１ｃの他端は、径方向においてシャフト２１の他方端部に達している。
【００７０】
分岐流路２１ｄａ、２１ｄｂの各々は、流路２１ｃからシャフト２１の径方向外側へ向かってたとえば直線状に延びている。分岐流路２１ｄａは、流路２１ｃと凹部２１ｅａとを接続している。分岐流路２１ｄｂは、流路２１ｃと凹部２１ｅｂとを接続している。分岐流路２１ｄａは中鍔２１ｂよりもシャフト２１の一方端側に配置されている。分岐流路２１ｄａは中鍔２１ｂよりもシャフト２１の他方端側に配置されている。
【００７１】
図５に示されるように、複数の凹部２１ｅａがシャフト本体２１ａの外周面２１ａａに配置されている。複数の凹部２１ｅａは、互いに分離されたたとえば２つの凹部２１ｅａである。ただし複数の凹部２１ｅａは、互いに分離された３つ以上の凹部２１ｅａであってもよい。
【００７２】
複数の凹部２１ｅａは、軸線Ｃに直交する断面において軸線Ｃが通る点に対して点対称に配置されていてもよい。また複数の凹部２１ｅａは、軸線Ｃを通る直線Ｅに対して線対称に配置されていてもよい。
【００７３】
＜下転輪２０の組み立て＞
次に、本実施の形態における下転輪２０の組み立てについて図６を用いて説明する。
【００７４】
図６は、図２に示す下転輪の組み立て方法を示す断面図である。図６に示されるように、まずローラ２２ａの内周面２２ａａに滑り軸受部材２３ａが圧入により固定される。これにより滑り軸受部材２３ａのラジアル滑り軸受２３ａａがローラ２２ａの内周面２２ａａに接する。また滑り軸受部材２３ａのスラスト滑り軸受２３ａｂがローラ２２ａの端面２２ａｂに接する。
【００７５】
またローラ２２ｂの内周面２２ｂａに滑り軸受部材２３ｂが圧入により固定される。これにより滑り軸受部材２３ｂのラジアル滑り軸受２３ｂａがローラ２２ｂの内周面２２ｂａに接する。また滑り軸受部材２３ｂのスラスト滑り軸受２３ｂｂがローラ２２ｂの端面２２ｂｂに接する。
【００７６】
この後、シャフト２１がローラ２２ａの内周に挿入され、かつローラ２２ｂの内周に挿入される。具体的にはシャフト２１が、滑り軸受部材２３ａおよび滑り軸受部材２３ｂの各々の内周に挿入される。
【００７７】
図３に示されるように、ローラ２２ａの一方端とローラ２２ｂの一方端とが溶接される。これによりローラ２２ａとローラ２２ｂとが溶接部２２ｃにより接合される。この状態でシャフト本体２１ａの外周面２１ａａとローラ２２ａの内周面２２ａａとの間に滑り軸受部材２３ａのラジアル滑り軸受２３ａａが位置する。また中鍔２１ｂの端面２１ｂａとローラ２２ａの端面２２ａｂとの間に滑り軸受部材２３ａのスラスト滑り軸受２３ａｂが位置する。
【００７８】
またシャフト本体２１ａの外周面２１ａａとローラ２２ｂの内周面２２ｂａとの間に滑り軸受部材２３ｂのラジアル滑り軸受２３ｂａが位置する。また中鍔２１ｂの端面２１ｂｂとローラ２２ｂの端面２２ｂｂとの間に滑り軸受部材２３ｂのスラスト滑り軸受２３ｂｂが位置する。
【００７９】
図４に示されるように、この状態で凹部２１ｅａは、シャフト２１の径方向において、フローティングシール２６ａにおける回転側部材２６ａＲと固定側部材２６ａＦとの摺動部とラジアル滑り軸受２３ａａとの双方に対向している。凹部２１ｅａは、シャフト２１の径方向において、スラスト滑り軸受２３ａｂと対向している。
【００８０】
凹部２１ｅｂは、シャフト２１の径方向において、フローティングシール２６ｂにおける回転側部材２６ｂＲと固定側部材２６ｂＦとの摺動部とラジアル滑り軸受２３ｂａとの双方に対向している。凹部２１ｅｂは、シャフト２１の径方向において、スラスト滑り軸受２３ｂｂと対向している。
【００８１】
この後、ローラ２２ａの内周面に、フローティングシール２６ａの回転側部材２６ａＲが取り付けられる。またローラ２２ｂの内周面に、フローティングシール２６ｂの回転側部材２６ｂＲが取り付けられる。
【００８２】
この後、フローティングシール２６ａの固定側部材２６ａＦが取り付けられた支持体２７ａがシャフト２１に固定される。フローティングシール２６ｂの固定側部材２６ｂＦが取り付けられた支持体２７ｂがシャフト２１に固定される。
【００８３】
以上により本実施の形態における下転輪２０が組み立てられる。
＜作用効果＞
次に、本実施の形態の作用効果について説明する。
【００８４】
本実施の形態における下転輪２０によれば図４に示されるように、冷却媒体を溜めるための凹部２１ｅａがシャフト２１の径方向において、フローティングシール２６ａにおける回転側部材２６ａＲと固定側部材２６ａＦとの摺動部とラジアル滑り軸受２３ａａとの双方に対向している。このため凹部２１ｅａ内の冷却媒体によりラジアル滑り軸受２３ａａとフローティングシール２６ａとの双方を冷却することができる。これにより凹部２１ｅａを設けるという簡単な構造で、冷却性能を向上することができ、発熱を抑制することができる。
【００８５】
また冷却媒体を溜めるための凹部２１ｅｂがシャフト２１の径方向において、フローティングシール２６ｂにおける回転側部材２６ｂＲと固定側部材２６ｂＦとの摺動部とラジアル滑り軸受２３ｂａとの双方に対向している。このため凹部２１ｅｂ内の冷却媒体によりラジアル滑り軸受２３ｂａとフローティングシール２６ｂとの双方を冷却することができる。これにより凹部２１ｅｂを設けるという簡単な構造で、冷却性能を向上することができ、発熱を抑制することができる。
【００８６】
また本実施の形態における下転輪２０によれば図４に示されるように、凹部２１ｅａは、シャフト２１の径方向においてスラスト滑り軸受２３ａｂと対向している。このため凹部２１ｅａ内の冷却媒体によりスラスト滑り軸受２３ａｂを冷却することもできる。これにより凹部２１ｅａを設けるという簡単な構造で、冷却性能をさらに向上することができ、発熱をさらに抑制することができる。
【００８７】
また本実施の形態における下転輪２０によれば図４に示されるように、凹部２１ｅｂは、シャフト２１の径方向においてスラスト滑り軸受２３ｂｂと対向している。このため凹部２１ｅｂ内の冷却媒体によりスラスト滑り軸受２３ｂｂを冷却することもできる。これにより凹部２１ｅｂを設けるという簡単な構造で、冷却性能をさらに向上することができ、発熱をさらに抑制することができる。
【００８８】
また本実施の形態における下転輪２０によれば図４に示されるように、凹部２１ｅａは、シャフト２１の軸線Ｃに対して線対称に配置されている。これによりラジアル滑り軸受２３ａａおよびフローティングシール２６ａの各々の周方向に均等に冷却媒体を供給することが容易となる。
【００８９】
また凹部２１ｅｂは、シャフト２１の軸線Ｃに対して線対称に配置されている。これによりラジアル滑り軸受２３ｂａおよびフローティングシール２６ｂの各々の周方向に均等に冷却媒体を供給することが容易となる。
【００９０】
（実施の形態２）
＜下転輪２０の構成＞
次に、本開示の実施の形態２における下転輪２０の構成について図７および図８を用いて以下に説明する。
【００９１】
図７および図８は、本開示の実施の形態２における作業機械に含まれる下転輪の構成を示す第１断面図および第２断面図である。図７に示されるように、本実施の形態における下転輪２０は、図２〜図５に示す実施の形態１における下転輪２０の構成と比較して、ブシュ２４および固定部材２５が追加された点において異なっている。
【００９２】
ブシュ２４は、円筒部と、鍔部とを有する鍔付き円筒形状を有している。ブシュ２４の鍔部はブシュ２４の円筒部から径方向外側へ張り出している。ブシュ２４は、シャフト２１の外周面（シャフト本体２１ａの外周面２１ａａ）とローラ２２ａの内周面２２ａａとの間に配置されている。具体的にはブシュ２４の円筒部は、滑り軸受部材２３ａの外周面とローラ２２ａの内周面２２ａａとの間に配置されている。
【００９３】
ブシュ２４は、ローラ２２ａの内周面２２ａａに圧入されている。ブシュ２４の円筒部はローラ２２ａの内周面に接している。ブシュ２４の鍔部はローラ２２ａの端面に接している。ブシュ２４は、複数の固定部材２５によりローラ２２ａに固定されている。複数の固定部材２５の各々は、たとえばボルトである。ボルト２５は、ブシュ２４の鍔部を貫通してローラ２２ａの雌ねじ部にねじ込まれている。これによりブシュ２４は、ローラ２２ａとともに回転するように構成されている。
【００９４】
滑り軸受部材２３ａは、ブシュ２４の内周面２４ａに圧入されている。これにより滑り軸受部材２３ａは、ローラ２２ａおよびブシュ２４とともに回転するように構成されている。滑り軸受部材２３ａのラジアル滑り軸受２３ａａはブシュ２４の内周面２４ａに接している。ラジアル滑り軸受２３ａａは、シャフト本体２１ａの外周面２１ａａとブシュ２４の内周面２４ａとの間に位置している。
【００９５】
また滑り軸受部材２３ａのスラスト滑り軸受２３ａｂは、ブシュ２４の端面２４ｂに接している。スラスト滑り軸受２３ａｂは、ブシュ２４の端面２４ｂと中鍔２１ｂの端面２１ｂａとの間に位置している。
【００９６】
フローティングシール２６ａの回転側部材２６ａＲは、ブシュ２４を介在してローラ２２ａに支持されている。これにより回転側部材２６ａＲは、ブシュ２４およびローラ２２ａとともに回転する。回転側部材２６ａＲは、固定側部材２６ａＦに対して相対的に回転可能に構成されている。回転側部材２６ａＲのメタルシールリング２６ａｂは、弾性リング２６ａａを介在してブシュ２４の内周面２４ａに支持されている。
【００９７】
図８に示されるように、凹部２１ｅａは、シャフト２１の径方向において、フローティングシール２６ａの回転側部材２６ａＲおよび固定側部材２６ａＦの双方に対向している。また凹部２１ｅａは、シャフト２１の径方向において、ラジアル滑り軸受２３ａａとフローティングシール２６ａとに挟まれる領域とも対向している。
【００９８】
凹部２１ｅａは、軸方向に沿って、スラスト滑り軸受２３ａｂと径方向に対向する位置からフローティングシール２６ａの固定側部材２６ａＦと径方向に対向する位置まで延びている。凹部２１ｅａの軸方向に沿う寸法は、ブシュ２４の軸方向に沿う寸法よりも小さくてもよく、また大きくてもよい。
【００９９】
なお上記以外の本実施の形態の構成は、実施の形態１の構成とほぼ同じであるため、同一の要素については同一の符号を付し、その説明を繰り返さない。
【０１００】
＜下転輪２０の組み立て＞
次に、本実施の形態における下転輪２０の組み立てについて図９および図１０を用いて説明する。
【０１０１】
図９および図１０は、図７に示す下転輪の組み立て方法を工程順に示す断面図である。図９に示されるように、まずローラ２２ａの一方端とローラ２２ｂの一方端とが溶接される。これによりローラ２２ａとローラ２２ｂとが溶接部２２ｃにより接合される。この後、ローラ２２ｂの内周に滑り軸受部材２３ｂが圧入により固定される。この後、シャフト２１が、ローラ２２ａ、２２ｂに挿入される。
【０１０２】
図１０に示されるように、ブシュ２４の内周面２４ａに滑り軸受部材２３ａが圧入される。滑り軸受部材２３ａを圧入されたブシュ２４が、ローラ２２ａの内周面２２ａａに圧入される。これによりブシュ２４がシャフト２１の外周面２１ａａとローラ２２ａの内周面２２ａａとの間に配置される。この後、ブシュ２４が、たとえばボルトなどの固定部材２５によりローラ２２ａに固定される。
【０１０３】
この状態でシャフト本体２１ａの外周面２１ａａとローラ２２ａの内周面２２ａａとの間に滑り軸受部材２３ａのラジアル滑り軸受２３ａａとブシュ２４とが位置する。また中鍔２１ｂの端面２１ｂａとブシュ２４の端面２４ｂとの間に滑り軸受部材２３ａのスラスト滑り軸受２３ａｂが位置する。
【０１０４】
またシャフト本体２１ａの外周面２１ａａとローラ２２ｂの内周面２２ｂａとの間に滑り軸受部材２３ｂのラジアル滑り軸受２３ｂａが位置する。また中鍔２１ｂの端面２１ｂｂとローラ２２ｂの端面２２ｂｂとの間に滑り軸受部材２３ｂのスラスト滑り軸受２３ｂｂが位置する。
【０１０５】
図８に示されるように、この状態で凹部２１ｅａは、シャフト２１の径方向において、フローティングシール２６ａにおける回転側部材２６ａＲと固定側部材２６ａＦとの摺動部とラジアル滑り軸受２３ａａとの双方に対向している。凹部２１ｅａは、シャフト２１の径方向において、スラスト滑り軸受２３ａｂと対向している。
【０１０６】
凹部２１ｅｂは、シャフト２１の径方向において、フローティングシール２６ｂにおける回転側部材２６ｂＲと固定側部材２６ｂＦとの摺動部とラジアル滑り軸受２３ｂａとの双方に対向している。凹部２１ｅｂは、シャフト２１の径方向において、スラスト滑り軸受２３ｂｂと対向している。
【０１０７】
図７に示されるように、ローラ２２ａの内周面に、フローティングシール２６ａの回転側部材２６ａＲが取り付けられる。またローラ２２ｂの内周面に、フローティングシール２６ａの回転側部材２６ａＲが取り付けられる。
【０１０８】
この後、フローティングシール２６ａの固定側部材２６ａＦが取り付けられた支持体２７ａがシャフト２１に固定される。フローティングシール２６ｂの固定側部材２６ｂＦが取り付けられた支持体２７ｂがシャフト２１に固定される。
【０１０９】
以上により本実施の形態における下転輪２０が組み立てられる。
＜作用効果＞
本実施の形態によれば図８に示されるように、冷却媒体を溜めるための凹部２１ｅａがシャフト２１の径方向において、フローティングシール２６ａにおける回転側部材２６ａＲと固定側部材２６ａＦとの摺動部とラジアル滑り軸受２３ａａとの双方に対向している。また冷却媒体を溜めるための凹部２１ｅｂがシャフト２１の径方向において、フローティングシール２６ｂにおける回転側部材２６ｂＲと固定側部材２６ｂＦとの摺動部とラジアル滑り軸受２３ｂａとの双方に対向している。このため実施の形態１と同様、簡単な構造で、冷却性能を向上することができ、発熱を抑制することができる。
【０１１０】
また本実施の形態によれば、シャフト２１の外周面２１ａａとローラ２２ａの内周面２２ａａとの間にブシュ２４が配置されている。フローティングシール２６ａの回転側部材２６ａＲはブシュ２４を介在してローラ２２ａに支持されている。このようにブシュ２４が設けられているため、下転輪２０の組立が実施の形態１よりも容易となる。そのことを以下に説明する。
【０１１１】
図６に示すようにブシュが設けられない場合、ローラ２２ａ、２２ｂがシャフト２１に外挿された後に、ローラ２２ａ、２２ｂ同士の溶接が行なわれる。この場合、溶接時の熱によりローラ２２ａ、２２ｂに熱歪みが生じるおそれがある。熱歪みが生じた場合、ローラ２２ａ、２２ｂがシャフト２１に対して相対的に回転できないおそれが生じる。
【０１１２】
これに対してブシュ２４が設けられる場合には、図１０に示されるように、ブシュ２４がローラ２２ａ内に圧入されることにより、シャフト２１がローラ２２ａ、２２ｂ内から抜け落ちることが防止される。このため図９および図１０に示されるように、ローラ２２ａ、２２ｂ同士の溶接後に、ローラ２２ａ、２２ｂ内にシャフト２１を挿入することができる。よってローラ２２ａ、２２ｂ同士を溶接した後であって、ローラ２２ａ、２２ｂをシャフト２１へ取り付ける前に、ローラ２２ａ、２２ｂに熱歪みが生じているか否かの検品が可能となる。この検品により、熱歪みの大きいローラ２２ａ、２２ｂを組み立て前に排除することができる。これにより組み立てが容易となり、ローラ２２ａ、２２ｂはシャフト２１に対して相対的に回転可能である。
【０１１３】
（実施の形態３）
＜下転輪２０の構成＞
次に、本開示の実施の形態３における下転輪２０の構成について図１１および図１２を用いて以下に説明する。
【０１１４】
図１１および図１２は、本開示の実施の形態３における作業機械に含まれる下転輪の構成を示す第１断面図および第２断面図である。図１１に示されるように、本実施の形態における下転輪２０は、図７および図８に示す実施の形態２における下転輪２０の構成と比較して、固定部材２５ｂとしてスナップリングが用いられている点において異なっている。
【０１１５】
固定部材２５ｂとしてのスナップリング２５ｂは、実施の形態２の固定部材２５に代えて用いられている。このため本実施の形態においては、実施の形態２におけるボルトのような固定部材２５は用いられていない。
【０１１６】
スナップリング２５ｂは、たとえば環状の一部に切欠きを有するばね輪である。スナップリング２５ｂは、ローラ２２ａの内周面２２ａａに設けられた環状の溝に嵌め込まれている。スナップリング２５ｂがローラ２２ａに取り付けられた状態において、スナップリング２５ｂの内径はブシュ２４の外径よりも小さい。またスナップリング２５ｂの外径は、ブシュ２４の外径よりも大きい。このためスナップリング２５ｂにより、ブシュ２４がローラ２２ａに対して軸方向に抜けることが防止され、ブシュ２４がローラ２２ａに固定されている。
【０１１７】
図１２に示されるように、凹部２１ｅａは、シャフト２１の径方向において、フローティングシール２６ａの回転側部材２６ａＲおよび固定側部材２６ａＦの双方に対向している。また凹部２１ｅａは、シャフト２１の径方向において、ラジアル滑り軸受２３ａａとフローティングシール２６ａとに挟まれる領域とも対向している。
【０１１８】
凹部２１ｅａは、軸方向に沿って、スラスト滑り軸受２３ａｂと径方向に対向する位置からフローティングシール２６ａの固定側部材２６ａＦと径方向に対向する位置まで延びている。凹部２１ｅａの軸方向に沿う寸法は、ブシュ２４の軸方向に沿う寸法よりも大きい。
【０１１９】
なお上記以外の本実施の形態の構成は、実施の形態２の構成とほぼ同じであるため、同一の要素については同一の符号を付し、その説明を繰り返さない。
【０１２０】
本実施の形態における下転輪２０の組み立ては、ボルトなどの固定部材に代えて、スナップリング２５ｂによって、ブシュ２４がローラ２２ａに固定される。なお、これ以外の本実施の形態における下転輪２０の組み立ては、実施の形態２における組み立てとほぼ同じであるため、その説明を繰り返さない。
【０１２１】
本実施の形態によれば、実施の形態１および２と同じ効果を得ることができる。
（その他）
本開示の構成は、下転輪２０だけでなく、遊動輪４２、上転輪２０ａなどに適用することもできる。以下に、本開示の構成を遊動輪４２に適用した場合の構成について図１３を用いて説明する。
【０１２２】
図１３は、図１の作業機械１００に含まれる遊動輪４２の構成を示す部分破断斜視図である。図１３に示されるように、本実施の形態における遊動輪４２は、シャフト２１と、ローラ４２ａと、滑り軸受部材２３ａ、２３ｂと、ブシュ２４と、固定部材２５と、フローティングシール２６ａ、２６ｂと、支持体２７ａ、２７ｂとを有している。
【０１２３】
本実施の形態における遊動輪４２は、主にローラ４２ａの構成において実施の形態２における下転輪２０の構成と異なっている。ローラ４２ａは、シャフト２１が挿入される貫通孔を有している。この貫通孔は、大径部と小径部とが軸方向に接続された構成を有している。
【０１２４】
小径部においては、ローラ４２ａの内周面とシャフト本体２１ａの外周面との間に、滑り軸受部材２３ｂのラジアル滑り軸受２３ｂａが配置されている。
【０１２５】
大径部においては、ローラ４２ａの内周面とシャフト本体２１ａの外周面との間に、滑り軸受部材２３ｂのラジアル滑り軸受２３ｂａとブシュ２４とが配置されている。小径部と大径部との段差を構成するローラ４２ａの端面と中鍔２１ｂの端面との間には、滑り軸受部材２３ｂのスラスト滑り軸受２３ｂｂが配置されている。中鍔２１ｂの端面とブシュ２４の端面との間には、滑り軸受部材２３ａのスラスト滑り軸受２３ａｂが配置されている。
【０１２６】
凹部２１ｅａは、シャフト２１の径方向において、フローティングシール２６ａにおける回転側部材２６ａＲと固定側部材２６ａＦとの摺動部とラジアル滑り軸受２３ａａとの双方に対向している。凹部２１ｅａは、シャフト２１の径方向において、スラスト滑り軸受２３ａｂと対向している。
【０１２７】
凹部２１ｅｂは、シャフト２１の径方向において、フローティングシール２６ｂにおける回転側部材２６ｂＲと固定側部材２６ｂＦとの摺動部とラジアル滑り軸受２３ｂａとの双方に対向している。凹部２１ｅｂは、シャフト２１の径方向において、スラスト滑り軸受２３ｂｂと対向している。
【０１２８】
なお上記以外の遊動輪４２の構成は、実施の形態２の下転輪２０の構成とほぼ同じであるため、同一の要素については同一の符号を付し、その説明を繰り返さない。
【０１２９】
このように本開示の構成を遊動輪４２、上転輪２０ａなどの他の転輪に適用した場合でも、実施の形態２と同様の効果を得ることができる。
【０１３０】
上記においては遊動輪４２に実施の形態２の構成を適用した場合の構成について説明したが、遊動輪４２に実施の形態１または３の構成が適用されてもよい。また上転輪２０ａに実施の形態１〜３のいずれかの構成が適用されてもよい。
【０１３１】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【符号の説明】
【０１３２】
１  履帯式走行装置、１Ａ  履帯装置、２  車体、３  作業機、４  キャブ、５  エンジン室、６  ブレード、６ａ  上端、７  フレーム、８  アングルシリンダ、９  昇降シリンダ、１０  履帯、２０  下転輪、２０ａ  上転輪、２１  シャフト、２１ａ  シャフト本体、２１ａａ  外周面、２１ｂ  中鍔、２１ｂａ，２１ｂｂ，２２ａｂ，２２ｂｂ，２４ｂ  端面、２１ｃ  流路２１ｄａ，２１ｄｂ  分岐流路、２１ｅａ，２１ｅｂ  凹部、２２ａ，２２ｂ，４２ａ  ローラ、２２ａａ，２２ｂａ，２４ａ  内周面、２２ｃ  溶接部、２３ａ，２３ｂ  滑り軸受部材、２３ａａ，２３ｂａ  ラジアル滑り軸受、２３ａｂ，２３ｂｂ  スラスト滑り軸受、２４  ブシュ、２５，２５ｂ  固定部材、２５ｂ  スナップリング、２６ａ，２６ｂ  フローティングシール、２６ａＦ，２６ｂＦ  固定側部材、２６ａＲ，２６ｂＲ  回転側部材、２６ａａ  弾性リング、２６ａｂ，２６ａｄ  メタルシールリング、２７ａ，２７ｂ  支持体、４１  駆動輪、４２  遊動輪、４３  トラックフレーム、１００  ブルドーザ。
【図１】
2020179782.tif 000003
【図２】
2020179782.tif 000004
【図３】
2020179782.tif 000005
【図４】
2020179782.tif 000006
【図５】
2020179782.tif 000007
【図６】
2020179782.tif 000008
【図７】
2020179782.tif 000009
【図８】
2020179782.tif 000010
【図９】
2020179782.tif 000011
【図１０】
2020179782.tif 000012
【図１１】
2020179782.tif 000013
【図１２】
2020179782.tif 000014
【図１３】
2020179782.tif 000015